(57)【要約】      （修正有）【課題】容器外周、あるいは容器底を含む容器外周を二重にした容器の、その二重にすることでつくられた空気層に入れる装飾品を容器に更に付加価値を付ける構成にする。【解決手段】容器外周、あるいは容器底を含む容器外周を二重にした容器の、その二重にすることでつくられた空気層に、装飾品として、更には、結露の活用として日本酒や焼酎などのアルコール類と砂と貝殻を入れ、そのアルコール類、砂、貝殻は相互に五感を刺激するためにも機能を発揮させる。【選択図】図１
0003117879.tif 000002
【実用新案登録請求の範囲】
【請求項１】
容器に外気より冷たいものを入れたときに発生する結露を防止する機能としての真空の意味合いも含む空気層、または、装飾品を入れるための空間としての空気層を間に設けるために、光を通す具合の透明さをもつ容器の容器外周、あるいは容器底を含む容器外周を二重にした容器の、その二重にすることでつくられた空気層に、装飾品として日本酒や焼酎のアルコール類を入れ、またそれは装飾品としてばかりでなく、二重にすることでつくられる空気層の内外面の容器素材に付着する結露を防止、活用して、更に加えて砂と貝殻を入れ、そのアルコール類、砂、貝殻は相互に五感を刺激するためにも機能を発揮する特徴を有する容器。
【考案の詳細な説明】
【技術分野】
【０００１】  本考案は、光を通す具合に透明さをもつ容器の外周を二重にすることによりつくられる空気層に装飾品を入れ付加価値を付ける、グラス、コップなどの飲料用容器や、デカンタ、サラダボウル、鉢や丼などの飲食用容器や、更に、スティックシュガーや鉛筆などを入れる小物入れに用いる容器に関する。
【背景技術】
【０００２】  従来、容器の外周を二重にして、それを着脱式にしたりして、つくられた空気層に装飾品を入れて楽しむ発想の飲料用容器、飲食用容器、装飾容器はあり、例えば、登録実用新案第３１１４２９０号公報の水と炭と砂を入れて楽しむものがある。
【考案の開示】
【考案が解決しようとする課題】
【０００３】  しかしながら、これでは、容器の外周を二重にすることでつくられた空気層に入れた水が長期間常温で保存すると腐ってしまい衛生状にも見た目にも良くない。そこで、機能を損なわないで水よりも優れた機能のものを用いて容器を構成することと、更に、容器を二重にすることによりつくられる空気層に入れる装飾品を容器に更に付加価値を付ける構成にすることを課題とする。つまり本考案は、外周を二重構造にした容器につくられる空気層に入れる装飾品の工夫に関するものである。詳しくは、容器に外気より冷たいものを入れたときに発生する結露を防止する機能としての真空の意味合いも含む空気層、かつ、装飾品を入れるための空間としての空気層を間に設けるために、容器外周を二重にして、光を通す具合の透明さをもつ容器のそのつくられた空気層に入れる装飾品を結露の活用にも機能を発揮するものとする。二重にして空気層をつくっても結露の発生を完全には抑えられないので、その活用を考える。しかしながら、その容器は容器底を含む外周を二重にしたもので、更には、着脱式で空気層に入れる装飾品を使う人の好みで入れかえられるものが望ましい。
【課題を解決するための手段】
【０００４】  容器に外気より冷たいものを入れたときに発生する結露を防止する機能としての真空の意味合いも含む空気層、または、装飾品を入れるための空間としての空気層を間に設けるために、光を通す具合の透明さをもつ容器の容器外周、あるいは容器底を含む容器外周を二重にした容器の、その二重にすることでつくられた空気層に、装飾品として、更には、結露の活用として日本酒や焼酎などのアルコール類と砂と貝殻を入れる。日本酒や焼酎などのアルコール類はつくらた空気層を満たしてもいいし、半分くらいで、容器を傾ければ流れるようにしてもいい。砂はやはり容器を傾ければ、流れるような量で、貝殻は小さいものを二、三個入れれば、容器を傾けたときに砂と混ざって流れる。もちろん人それぞれ好みは違うので、その人に合ったアルコール類や砂、貝殻の量をそれぞれ入れられる、空気層に入れる装飾品を入れか可能な着脱式の容器が望ましい。あるいは着脱式ではなくつくられる空気層が密閉された容器でも、アルコール類と砂、貝殻の構成はその使用に充分耐えうる。この構成に加えて、金魚やイルカなどの模型を装飾品として加えても連想は広がり楽しめる。その空気層がある二重構造の容器は、内周は不透明な素材で、外周のみ光を通す具合に透明な素材であっても本考案の構成は充分に楽しめ、癒される。
【考案の効果】
【０００５】  酒や焼酎などのアルコール類は賞味期限の無い飲料物であり、水のように長期間常温で保存しても腐らないし、水ならば銅を入れれば銅イオンの発生などで長期間常温で保存しても腐らない液体になるが、また、化学的な防腐剤を入れても腐らない液体になるが、アルコール類ならばその余分な銅が必要無いし、万が一、容器を破損して、その液体が漏れ出し使う人の口に入っても酒や焼酎などのアルコール類ならば安心である。また、酒や焼酎などのアルコール類は、空気層に入れる装飾品を入れかえ可能な着脱式の容器の場合には、その装飾品つまりはアルコール類の入れ替えにも、それは身近で手に入るので便利である。しかも、酒や焼酎は無色透明であり飲料用なので、その容器を飲食用に使用した場合でも清潔感、衛生感がある。光を通す具合の透明さをもつ容器の容器外周、あるいは容器底を含む容器外周を二重にした容器の、その二重にすることでつくられる空気層の内外面の容器素材に付着する結露を防止ひいては活用するために日本酒や焼酎のアルコール類を入れる。つくられる空気層の内外面の容器素材表面に付着する結露は、その空気層内の空気が原因であるから、それを締め出す意味でも、つくられる空気層内に酒や焼酎などのアルコール類を満たしてもいい。空気層を満たさないまでも、空気層に酒や焼酎などのアルコール類を入れることにより、空気層内に発生する結露を目立たなくさせる効果もある。その容器で飲料水等を飲む用途として使うなら、容器外周、あるいは容器底を含む容器外周を二重にしても若干のこるであろう結露と相乗効果を起こして、容器を二重にすることによりつくられる空気層に入れられた、日本酒などのアルコール類と砂と貝殻は、海や、水槽を連想するものになり、容器を傾ければ、流れるように動く砂と貝殻は、ますます海を連想させ癒される。砂を二色、三色のカラー砂を混ぜて使えば、その容器を上から覗いたときに万華鏡を覗くかのような楽しさが増幅する。デカンタ、サラダボウル、鉢や丼などの飲食用容器や、更に、スティックシュガーや鉛筆などを入れる小物入れなどでも、また、もちろんグラス、コップなどの飲料用容器などでも、結露が発生しなくても同様の連想、癒しの効果は得られる。貝殻に巻貝を使用すれば、転がっても美しく見える。アルコール類に赤ワインなどを使えばその色合いでまた違った趣になる。金魚やイルカなどの模型を装飾品に加えても連想は広がり楽しめ、癒される。砂時計の例を出すまでも無く、砂のサラサラと流れるような動きは、人に安らぎと癒しを与えてくれる。
【考案を実施するための最良の形態】
【０００６】  容器に外気より冷たいものを入れたときに発生する結露を防止する機能としての真空の意味合いも含む空気層、または、装飾品を入れるための空間としての空気層を間に設けるために、光を通す具合の透明さをもつ容器の容器外周、あるいは容器底を含む容器外周を二重にした容器の、その二重にすることでつくられた空気層に、装飾品として、更には、結露の活用として透明な日本酒や焼酎を容器が傾けば流れるくらいで容器があまり重くならない程度の量を入れ、加えて、その日本酒や焼酎を海の水と連想させるために、傾ければサラサラと流れるくらいの量の砂と一、二ｃｍくらいの巻貝二個を装飾品として入れる。
【実施例】
【０００７】  以下、添付図面に従って一実施例を説明する。１は使用時の容器本体であり、２の空気層に、３の日本酒と、４の白砂と、５の巻貝をいれる。
【図面の簡単な説明】
【０００８】
【図１】本考案の容器の一例を示す斜視図である。
【図２】同上容器を真上から見た図である。
【符号の説明】
【０００９】  １    容器本体
２    空気層
３    日本酒
４    白砂
５    巻貝
【図１】
0003117879.tif 000003
【図２】
0003117879.tif 000004